(57)【特許請求の範囲】
【請求項１】
走行車を稼働するための方法であって、
この方法では、走行車に固定された制御装置と使用者により携帯される権限証明装置（５）との間の通信により、権限証明装置（５）の記憶装置内に含まれているアクセス権限・コードを用い、使用者のアクセス権限を確認し、そしてこの権限証明装置（５）を走行車駆動ユニットの運転開始を可能にするためにも使用し、走行車駆動ユニットの運転開始のためには、使用者のアクセス権限の確認とは独立して前記制御装置が権限証明装置（５）に対して質問信号を発信し、この質問信号に対して権限証明装置（５）は自身の前記記憶装置からアクセス権限・コードを発信する、
前記方法において、
前記の質問信号の発信を、走行車駆動ユニットの運転中にも、または運転の終了後にも、または運転中にも運転の終了後にも行い、それにより走行車駆動ユニットの運転中の前記記憶装置の損失、またはアクセス権限・コードの伝達という前記記憶装置の機能の損失を認識可能とし、これらの損失の場合には、前記アクセス権限・コードを含んでいて走行車に据置き式の記憶装置（９）を権限証明装置（５）の記憶装置の代わりに使用可能にすること
を特徴とする方法。
【請求項２】
走行車に据置き式の記憶装置（９）が、走行車駆動ユニットの運転の開始を可能にする操作ユニット（１）内に取り付けられていて、前記の損失が認識された場合にはその取付け機構の解除を行うことを特徴とする、請求項１に記載の方法。
【請求項３】
前記の取付け機構の解除が行われたことを走行車使用者に対して視覚的に指示することを特徴とする、請求項２に記載の方法。
【請求項４】
前記の指示が光学的に、または聴覚的に、または光学的にも聴覚的にも行われることを特徴とする、請求項３に記載の方法。
【請求項５】
前記の取付け機構の解除が行われ、走行車駆動ユニットが作動停止された場合、走行車に据置き式の記憶装置（９）を操作ユニット（１）からはじき出すことを特徴とする、請求項３または４に記載の方法。
【請求項６】
走行車に据置き式の記憶装置（９）を権限証明装置（５）内に差し込みことができ、この権限証明装置（５）を再び操作ユニット（１）内に差し込むことができることを特徴とする、請求項２〜５のいずれか一項に記載の方法。
【請求項７】
走行車に据置き式の記憶装置（９）が機械的なキー（１０）と結合されてこのキー（１０）とともに構成ユニットを形成し、この構成ユニットを操作ユニット（１）内に差し込むことができることを特徴とする、請求項２〜６のいずれか一項に記載の方法。
【発明の詳細な説明】
【０００１】
【発明の属する技術分野】
本発明は、走行車を稼働するための方法に関する。本発明の方法は、請求項１の前提部分に記載の構成を有する方法から出発している。
【０００２】
【従来の技術】
このような方法は、ドイツ特許出願公開第３６１５８９０号明細書より周知である。そこでは、制御装置と権限証明装置（ＢＮＥ）との間の対話が無線により行われる。権限証明装置は、例えば制御装置から発信された質問信号を受信し、応答コードを有する応答信号を発信するトランスポンダーである。権限ある使用者であれば、制御装置は正しい応答コードに基づいてこの使用者を認識し、そして走行車ドアの解錠を可能にするまたは解錠を実施する。この際、周知の方法において、走行車駆動ユニットの運転を開始することは勿論可能である。そのために設けられた回転ノブはハンドル錠と一体化されていて、直ちに操作することができる。その場合、走行車駆動ユニットの運転開始には、走行車を解錠することで充分であると言う問題が生じる。権限証明装置を携帯した権限ある走行車使用者が望まないときも走行車駆動ユニットの運転開始が乗客によって可能である。
【０００３】
前記の問題は、アクセス権限がドイツ特許出願公開第１９５１６３１６号明細書より周知である形式をもって試問されるとき特に重大である。そこでは、権限ある使用者が手を使ってドアグリップに近づくとき既に質問・応答・対話が行われる。権限ある使用者がこのことを例えば走行車ドアを開ける意図もなく行い、それにも拘らず、権限ある使用者の確認のための対話が行われて走行車が解錠されていることを認識していない場合、権限ある使用者に知られることなく第三者にとっても、走行車内に入って駆動ユニットの運転を開始することが可能である。
【０００４】
この周知の方法とは別に、アクセス権限を身体特有の個々の特徴により証明することも将来的には可能である。例えば、指紋または発音識別による同一性確認は周知である。このような生理学上の権限証明装置の場合も、ドイツ特許出願公開第３６１５８９０号明細書より周知である走行車駆動ユニットの準自動的な解除時にはこのユニットの非所望のまたは不当な運転開始の問題が生ずる。
【０００５】
【発明が解決しようとする課題】
本発明の課題は、その問題が排除されている、当初に述べた形式の方法を創り出すことである。
【０００６】
【課題を解決するための手段】
前記の課題は、本発明により、請求項１の構成により解決される。
走行車駆動ユニットの運転開始のための権限がもはや機械的な点火キーに関連されていないので、特にアクセス権限確認用の電子記憶装置が設けられているときには、走行車駆動ユニットの運転中にこの記憶装置が紛失するという問題が生ずる。この紛失は、例えばこの記憶装置が気づかないうちに走行車から遠ざけられることにより、気づかないうちに権限ある使用者により行われ得るものである。
【０００７】
同じ問題が、記憶装置がアクセス権限・コードを伝達する機能を失ったときに生じる。例えば、走行車駆動ユニットの運転中に生じる権限証明装置の電気的欠陥の場合、この権限証明装置は作用せず、もはや走行車駆動ユニットの後での運転開始を可能にすることはない。このケースは、例えば、走行車駆動ユニットが内燃機関として構成され、そして閉じられた踏切りの前で短時間作動停止されなければならないときに生じる。
【０００８】
走行車駆動ユニットの運転開始のためにはアクセス・コードが伝達されなければならないので、そのことにより走行車使用者にとって重大な問題が生ずる。この問題を防止するために、アクセス・コードの読出しが走行車駆動ユニットの運転中およびまたは運転の終了後も行なわれ得る。運転中の読出しは、紛失を速やかに認識することを可能にする。そのための前提条件は、この読出しを適宜の頻度で行うことだけである。
【０００９】
運転の終了後の読出しは、少なくとも、引き続いて再び走行車の運転を開始し得るように適宜の手段を講ずることを可能にする。走行車駆動ユニットの運転中または運転の終了後におけるアクセス・コードの読出しの結果は、警告信号の発信とすることができる。それに対し、この場合、アクセス・コード用の走行車据置き式の記憶装置を設け、この記憶装置がその際には解錠され、使用者により例えば走行車からも持ち出され得ることは有利である。
【００１０】
この記憶装置は、アクセス・コード用の本来の記憶装置に対して補助的に設けられる。この重複する記憶装置がその際には有効である。この記憶装置は、権限証明装置内に挿着されそしてそこに設けられている、アクセス・コード用のもので場合により欠陥のある記憶装置を、機能的に代用する機械的な部品として構成され得る。この記憶装置は、再び単独でまたは権限証明装置とともに、走行車駆動ユニットの運転開始または運転のための操作ユニット内に挿着され得る。この記憶装置は機械的なキーと結合することも可能であり、その際、この機械的なキーは点火錠内に挿着され、走行車駆動ユニットの運転開始を従来どおりの方式で可能にする。
【００１１】
重複する記憶装置が有効となっていることを走行車使用者に認識させるためには、走行車に据置き式の記憶装置の解錠が行われたことを走行車使用者に視覚的に指示することができる。それにより、重複する記憶装置を間違って走行車内に置き去りにする危険、ならびにこれと結び付いたことであるが、権限のない使用者が走行車を運転する可能性が明確に低減する。
【００１２】
重複する記憶装置のその受容部からのはじき出しが行われると、走行車利用者は特別の状況への注意を明確に喚起されるのみならず、走行車の施錠過程に特別の注意を向け、場合により従来どおりの方式で、例えば追加的に設けられている機械的なキーを用いて施錠を行うことをも喚起される。
【００１３】
従って、緊急時にはそのために設けられている手段により、非権限者が走行車を使用できる状況におかれるという危険が除去される。権限ある利用者は、所要の手段（例えば重複する記憶装置の取外し）を自ら行うように喚起される。
【００１４】
【発明の実施の形態】
図１は、非図示の走行車駆動ユニットの運転の開始を可能にする走行車駆動ユニット用の操作ユニット１を示す。このためには、操作ユニット１の回転可能部分２が矢印３により設定された方向に回転される。前後に配置された矢印３および４は２つの回転運動の連続性を意味する。第１の回転運動の場合、まずは通常どおり走行車の（非図示の）点火回路が閉成され、それに続く回転（矢印４）によりスタータ回路が同じく閉成されて、同じく非図示のスタータの運転が開始される。それにより、ここでは内燃機関として仮定している駆動ユニットがスタートさせられる。
【００１５】
この際に重要なことは、通常の場合のスタート、すなわち現存する構成要素が正しく機能する場合におけるスタートが、従来どおりの点火キーを操作ユニット１内に差し込むことなしに行われるということである。
【００１６】
駆動ユニットの運転開始のための権限を調べるために権限証明装置５が設けられていて、この装置は、アクセス権限・コード用の記憶装置（非図示）を含み、さらに通常どおり遠隔操作信号送信器として構成されている。この権限証明装置５は、中央施錠装置またはトランクルームの遠隔解錠用の押しボタン６および７、ならびに付加的に走行車のドアとカバーの施錠用の遠隔操作信号を発信するための押しボタン８を有している。アクセス権限・コード用の記憶装置は、押しボタン６または７の操作のときに読みとられ、周知の方式でアクセス権限・コードを発信し、このアクセス権限・コードは同じく周知の方式で各操作において規定のアルゴリズムに従って変更され、それによって耐盗聴性を保証している。このコードは、走行車内に設けられた制御装置により受けとめられる。このコードが所望のコードに対応するとき、対応する遠隔操作命令が実行される。
【００１７】
遠隔操作信号を発信することなく予め閉止された走行車を開けることができる可能性が同じく設けられている。そのためにはドイツ特許出願公開第３５３６３７７号明細書より周知であるように、ドアの取り手を操作する際に制御装置と権限証明装置５との間の対話が作動され、そして権限証明装置５より所望のコードが発信される限り、走行車の施錠が解除され、アクセスが可能となる。
【００１８】
駆動ユニットの運転開始のためには、回転可能部分２を矢印３および４の方向に回転することで同じく質問信号が発信され、この質問信号は権限証明装置５により受けとめられ、アクセス用の質問・応答・対話の場合として既述したように、アクセス権限・コードの発信により応答される。制御装置がこのコードを受信し、そしてこのコードが所望のコードに対応するのであれば点火回路またはスタータ回路の使用を解除する。
【００１９】
これにより、従来どおりの機械的な点火キーを用いることなく走行車をスタートさせることが可能である。他方において、駆動ユニットの運転開始前のアクセス権限・コードの読出しにより、権限証明装置５が走行車内にあることが保証される。それにより、走行車へのアクセスを正当に取得している使用者が高い確率で走行車内に座っていることが保証されている。すなわち、走行車駆動ユニットの運転開始が、高い確率でその使用者によりまたは少なくともその同意のもと行われる。
【００２０】
権限証明装置５が駆動ユニットの運転開始後に走行車から遠ざけられるまたはその機能性を失う場合のためには別の手段が設けられている。このことは、まずは特定の時点にアクセス権限・コードの読出しをすることにある。これは、駆動ユニットが停止されるときであり得る。また、駆動ユニットが、走行車ドアを前もって開閉することなく新たに運転を開始されるときでもあり得るし、駆動ユニットの運転中に定期的な時間間隔においてでもあり得る。このためには、アクセス権限・コードが常に制御装置により読み出され、権限証明装置５が走行車内にあり且つ機能性を有している限り、アクセス権限・コードの発信により権限証明装置５の権限および機能性の確認が証明される。
【００２１】
故障が想定される場合、アクセス権限・コードは読出しに対してもはや発信されない。このときも走行車の正しい機能を保証し、かつ駆動ユニットの新たな運転開始をも可能にするために、操作ユニット１内には、同じくアクセス権限・コードを含みかつ操作ユニット１内に取り付けられている補助的な記憶装置９が設けられている。既述の緊急時が生じると、取付け機構（非図示）が解除される。それにより、記憶装置９は操作ユニット１から取り出し可能となる。
【００２２】
記憶装置９は、権限証明装置５内に差し込み可能な機械的なキー１０を具備する構成ユニットを形成する。これは、図３に示されている。この場合、記憶装置９は権限証明装置５内に設けられた記憶装置の代わりをする。記憶装置９は、押しボタン６または７の操作の場合であれ、または制御装置の質問信号に対するものであれ、権限証明装置５から発信されるアクセス権限・コードを供給する。
【００２３】
権限証明装置５内に設けられたエネルギー蓄積器（非図示）が空であるとき、遠隔操作信号はもはや発信され得ない。これに対しては、走行車ドアの機械的な解錠だけが可能である。このことは、走行車のドア錠の対応的な受入部内にキー１０を差し込むことにより行われる。
【００２４】
この場合、駆動ユニットの運転を開始することが同じく可能である。そのためには、記憶装置９およびキー１０からなるユニットが操作ユニット１内に差し込まれる。このとき、キー１０は、従来どおりの点火キーのように、回転可能部品２の回転により駆動ユニットの運転開始を可能にするために用いられる。それにより、走行車の開放または運転開始が従来どおりに常に可能である。
【図面の簡単な説明】
【図１】  走行車駆動ユニットのための操作ユニットの前面図である。
【図２】  付属の権限証明装置の平面図である。
【図３】  図２の権限証明装置の同じく平面図であり、ここでは緊急時に走行車駆動ユニットの運転開始を可能にする構成ユニットが補充されている。
【符号の説明】
１ 操作ユニット
２ 操作ユニット１の回転可能部分
３ 回転可能部分２の回転方向
４ 回転可能部分２の回転方向
５ 権限証明装置
６ 中央施錠装置の遠隔解錠用の押しボタン
７ トランクルームの遠隔解錠用の押しボタン
８ 走行車のドアとカバーの施錠用の押しボタン
９ 補助的な記憶装置
１０ 記憶装置９の機械的なキー
【図１】
0004295920.tif 000002
【図２】
0004295920.tif 000003
【図３】
0004295920.tif 000004